(57)【要約】【課題】使い勝手を向上できる床ブラシを提供する。【解決手段】床ブラシ１６のケース体２１の吸込口２５に、床面Ｆの塵埃を掻き取る回転ブラシ３２を回転可能に取り付ける。床面Ｆの塵埃を拭き取るブラシ台組立４３を、床ブラシ１６のケース体２１に回動可能に取り付ける。ブラシ台組立４３の起毛布６１の起毛６２により拭き取った塵埃を回転ブラシ３２にて掻き取り、吸込口２５から吸い込む。起毛布６１の起毛６２で拭き取った塵埃を回転ブラシ３２で自己掃除するため、起毛布６１の起毛６２で拭き取った塵埃を除去する必要がなく使い勝手を向上できる。【選択図】        図１
2004147691.tif 000002
【特許請求の範囲】
【請求項１】
被掃除面に対向して開口した吸込口を備えたケース体と、
このケース体の吸込口に回転可能に設けられ、被掃除面の塵埃を掻き取る回転清掃体と、
前記ケース体に設けられ、被掃除面の塵埃を拭き取り、拭き取った塵埃を前記回転清掃体に掻き取らせて前記吸込口から吸い込ませる拭き取り体と
を具備したことを特徴とした吸込口体。
【請求項２】
拭き取り体は、吸込口の前方に位置して所定角度回動可能に設けられるとともに、外周面に拭き取り部および凹部を備え、前記ケース体の前進時に前記凹部を被掃除面に対向させて前記吸込口を外部に連通させ、後退時に前記拭き取り部を被掃除面に対向させる
ことを特徴とした請求項１記載の吸込口体。
【請求項３】
電動送風機を備えた掃除機本体と、
前記電動送風機の吸込側に取り付けられる請求項１または２記載の吸込口体と
を具備したことを特徴とした電気掃除機。
【発明の詳細な説明】
【０００１】
【発明の属する技術分野】
本発明は、被掃除面に対向して開口した吸込口を有する吸込口体およびこれを備えた電気掃除機に関する。
【０００２】
【従来の技術】
従来、この種の吸込口体は、横長のケース体を備えている。このケース体における被掃除面としての床面に対向した下面の前側には、吸込口が開口している。この吸込口には、回転清掃体としての回転ブラシが前後方向に向けて回転可能に取り付けられている。さらに、ケース体の下面における回転ブラシの後方には、拭き取り体としての拭き取り部である起毛布が前後方向に向けて回動可能に取り付けられている。そして、掃除の際には、吸込口体を前後させて回転ブラシで床面上の塵埃を掻き出すとともに、起毛布により床面上の塵埃を拭き取る（例えば、特許文献１参照。）。
【０００３】
【特許文献１】
特開平１１−２９０２４９号公報（第４−５頁、図１および図４）
【０００４】
【発明が解決しようとする課題】
しかしながら、上述の吸込口体では、掃除を継続すると起毛布で拭き取った塵埃がこの起毛布に多量に付着して溜まり、この起毛布による掃除性能が低下したり、この起毛布に溜まった塵埃が床面に落ちてこの床面を汚したりする。このため、起毛布に溜まった塵埃を定期的に除去しなければならず、使い勝手を向上することが容易でないという問題点を有している。
【０００５】
本発明はこのような点に鑑みなされたもので、使い勝手を向上できる吸込口体およびこれを備えた電気掃除機を提供することを目的とする。
【０００６】
【課題を解決するための手段】
本発明の吸込口体は、被掃除面の塵埃を掻き取る回転清掃体と、被掃除面の塵埃を拭き取り、拭き取った塵埃を回転清掃体に掻き取らせて吸込口から吸い込ませる拭き取り体とを具備したものである。そして、拭き取り体にて拭き取った塵埃を回転清掃体により掻き取らせて吸込口から吸い込ませることが可能になるため、拭き取り体にて拭き取った塵埃を除去するなどの必要がなく、使い勝手が向上する。
【０００７】
【発明の実施の形態】
以下、本発明の吸込口体の一実施の形態の構成を図１ないし図５を参照して説明する。
【０００８】
図５において、１は電気掃除機で、この電気掃除機１は、重力により塵埃を分離するいわゆるサイクロン方式であり、被掃除面としての床面Ｆを走行可能である。また、この電気掃除機１は、中空な本体用ケース体２と、この本体用ケース体２の上部前側に後部が回動可能に連結して回動によりこの本体用ケース体２の前側上部を開閉可能に覆う蓋体３とを備えた本体ケース４を有する掃除機本体５を備えている。さらに、本体用ケース体２の内部には、図１に示すように、駆動手段としての電動部である電動送風機６が収容、すなわち搭載されている。
【０００９】
そして、本体用ケース体２の前側には、底部に図示しない旋回輪が旋回可能かつ回転可能に取り付けられた有底円筒状のカップ保持部７が設けられている。このカップ保持部７の上側は、蓋体３により覆われる。また、本体用ケース体２の両側には、本体ケース４の進行方向前側および後側に沿って回転可能な一対の走行輪８がそれぞれ取り付けられている。
【００１０】
さらに、本体ケース４の本体用ケース体２のカップ保持部７と蓋体３との間である電動送風機６の吸込側には、塵埃分離部としてのダストカップ９が着脱可能に取り付けられている。このダストカップ９は、電動送風機６による吸込風とともに吸い込んだ塵埃を内部で旋回させて、この塵埃を自重による遠心分離により落下させて集塵し、電動送風機６へと吸い込ませたくない比較的粒子が大きく質量の大きな塵埃を捕捉する。
【００１１】
またさらに、蓋体３の前側には、前方に向けて開口した本体吸込口１１が設けられている。この本体吸込口１１は、排気側である基端側がダストカップ９に連通している。また、本体吸込口１１の吸込側である先端側には、可撓性を有するホース体１２の基端側が連通されて着脱可能に接続されている。このホース体１２の先端側には、略く字状に屈曲した操作手段としての手許操作部１３が設けられている。そして、この手許操作部１３における屈曲する部分の基端側に面する部分には、電動送風機６などの動作モードを設定する複数の設定ボタン１４が離間されて一列に並列されて設けられている。また、ホース体１２の手許操作部１３の先端側には、伸縮可能な接続管としての延長管１５を介してノズル体である吸込口体としての床ブラシ１６の連通管１７が着脱可能に連通接続されている。
【００１２】
この床ブラシ１６は、延長管１５、ホース体１２および本体吸込口１１を介して電動送風機６の吸込側に連通して掃除機本体５に接続されており、例えば室内の床面Ｆの絨毯などの上に設置させて、この絨毯上の塵埃を吸い込む。
【００１３】
また、この床ブラシ１６は、前後方向である走行方向に対して横長で、後部略中央が後方に向けて突出する凸字状のケース体２１を備えている。このケース体２１は、図１ないし図４に示すように、上面を開口した下部ケース２２と、この下部ケース２２の上部に上面の開口を覆い同材質の下面を開口する上部ケース２３とが、下部ケース２２および上部ケース２３の前面を含む周面に沿って軟質部材の緩衝体としてのバンパ２４を挟持して結合固定されている。
【００１４】
さらに、ケース体２１の下部ケース２２における床面Ｆに対向する下面には、細長矩形状の吸込口２５が開口している。この吸込口２５は、ケース体２１の走行方向の前側に偏位した位置に設けられており、このケース体２１の走行方向に対する幅方向に沿った長手方向を有した横長矩形状に形成されている。
【００１５】
またさらに、このケース体２１の内部における吸込口２５の上方の上部ケース２３の下面には、略矩形状のリブ３１が下方に向けて突出して上部ケース２３と一体に形成されている。このリブ３１は、ケース体２１内の高さ方向の略中心域まで突出している。そして、このリブ３１の下方である吸込口２５には、回転清掃体としてのフローリングブレードである回転ブラシ３２が取り付けられている。
【００１６】
この回転ブラシ３２は、吸込口２５の長手方向に沿って軸方向を有する略円柱状の回転軸部３３を備え、この回転軸部３３を中心に床ブラシ１６の走行方向に向けて回転可能に取り付けられている。また、この回転ブラシ３２の回転軸部３３の周囲には、複数、例えば４箇所にブラシ部３４が取り付けられている。これらブラシ部３４は、複数のブラシ毛３５を備えており、これらブラシ毛３５は、回転ブラシ３２の軸方向に沿って互いに連続的に隣接して回転軸部３３の径方向に向けて直線状に設けられている。さらに、各ブラシ部３４は、回転軸部３３の周方向に沿って略等角度、すなわち９０°毎に離間されている。またさらに、回転ブラシ３２は、ケース体２１に取り付けられた状態でこのケース体２１の下面と略等しい高さに下端部が位置するように取り付けられている。
【００１７】
そして、ケース体２１内には、リブ３１および回転ブラシ３２により、吸気室３６および風路室３７が、ケース体２１内の走行方向の前側および後側にそれぞれ区画形成されている。すなわち、回転ブラシ３２の前側および後側は、それぞれ吸気室３６内および風路室３７内にそれぞれ位置しており、これら吸気室３６および風路室３７は、それぞれ吸込口２５と連通している。
【００１８】
ここで、吸気室３６の下部である吸込口２５の前側には、略矩形状の切欠部４１が切り欠き形成されている。この切欠部４１は、吸込口２５よりも長手寸法が若干小さく形成されており、下部ケース２２の前側面に亘って形成されている。また、吸気室３６内における切欠部４１の上端には、区画リブ４２が下部ケース２２と一体に形成されている。この区画リブ４２は、側面視で上方向に向けて突出した円弧状に形成されており、ケース体２１の長手方向に沿って吸気室３６内の長手方向全域に亘って床面Ｆに対して略水平に形成されている。またさらに、この区画リブ４２は、側面視で回転ブラシ３２の回転軸よりも若干上側に形成されている。さらに、この区画リブ４２は、後端部が回転ブラシ３２の前側の外周面に当接している。
【００１９】
そして、吸気室３６内の切欠部４１には、拭き取り体としてのブラシ台組立４３が嵌合して回動可能に取り付けられている。すなわち、このブラシ台組立４３は、ケース体２１における回転ブラシ３２よりも前側である吸込口２５の前方に位置して取り付けられている。また、このブラシ台組立４３は、回転ブラシ３２よりも小径かつ区画リブ４２の円弧状の湾曲に略沿った略円柱状に形成されており、ケース体２１の前後方向に向けて所定角度、例えば９０°回動可能となっている。さらに、ブラシ台組立４３は、切欠部４１の長手寸法と略等しい軸方向寸法を有している。したがって、ブラシ台組立４３は、切欠部４１の下部を閉塞している。
【００２０】
またさらに、ブラシ台組立４３の下端部は、ケース体２１の下面と略等しい高さに位置している。すなわち、ブラシ台組立４３の下端部は、回転ブラシ３２の下端部と略等しい高さに位置している。また、回転ブラシ３２の中心とブラシ台組立４３の中心との間の距離は、これら回転ブラシ３２の半径寸法とブラシ台組立４３の半径寸法との和に略等しい。したがって、ブラシ台組立４３の外周面は、回転ブラシ３２の前側の外周面と接触している。
【００２１】
さらに、ブラシ台組立４３の外周面における軸方向の中心域には、平面視で細長矩形状の凹部４４が切り欠き形成されている。この凹部４４は、ブラシ台組立４３の軸方向に沿って長手方向を有しており、この凹部４４の長手寸法はブラシ台組立４３の軸方向寸法よりも小さく形成されている。そして、この凹部４４は、ブラシ台組立４３の中心軸方向に向かって凹状に形成されている。このため、ブラシ台組立４３の一側には、この凹部４４により半円柱状の一対の突部４５が形成され、ブラシ台組立４３は、正面視略凹字状に形成されている。
【００２２】
またさらに、ブラシ台組立４３の凹部４４に対向した面には、この凹部４４の長手方向に沿った長孔状の貫通孔４６が貫通して形成されている。この貫通孔４６には、断面視略Ｔ字状の台部材４７が取り付けられている。
【００２３】
この台部材４７は、凹部４４の長手方向に沿った細長矩形平板状の台部５１を備えており、この台部５１は、凹部４４に嵌合して取り付けられている。また、この台部５１の凹部４４と反対側には、角柱状の支持部５２が台部５１に対して垂直に、この台部５１と一体に形成されている。この支持部５２は、貫通孔４６内に挿通されている。さらに、支持部５２の先端側である台部５１と反対側には、この支持部５２の突出方向に対して略垂直、すなわち台部５１の面方向に沿って突出した係合部５３が支持部５２と一体に形成されている。この係合部５３は、ブラシ台組立４３に形成された段差状の係合段部５４に係合されている。この結果、台部材４７がブラシ台組立４３から抜け止めされている。
【００２４】
またさらに、各突部４５は、ブラシ台組立４３の軸方向について互いに略対称な位置にそれぞれ形成されている。さらに、各突部４５の外周面には、それぞれ補助清掃部材としての補助起毛布５５が取り付けられている。この補助起毛布５５の外周面には、複数の微細な補助起毛５６が全面に亘って設けられている。
【００２５】
また、ブラシ台組立４３の外周面における突部４５と反対側には、拭き取り部としての清掃部材である起毛布６１が全面に亘って取り付けられている。この起毛布６１の外周面には、補助起毛布５５と同様に、複数の微細な起毛６２が全面に亘って設けられている。
【００２６】
そして、各補助起毛５６および各起毛６２は、基端側から先端側すなわち毛先に向かって、ブラシ台組立４３の周方向に向けて徐々に湾曲してそれぞれ形成されている。また、各補助起毛５６および各起毛６２の毛先は、ブラシ台組立４３の下側で床ブラシ１６の前方に向くようにそれぞれ湾曲している。したがって、各補助起毛５６および各起毛６２の毛先は、図１および図３に示すブラシ台組立４３の周方向に沿った右回り方向、すなわち時計回り方向に向けてそれぞれ湾曲している。さらに、各補助起毛５６および各起毛６２は、ブラシ台組立４３の下側において床ブラシ１６の下部ケース２２の下方に毛先が突出し、ブラシ台組立４３の後側において回転ブラシ３２のブラシ部３４の前側に接触するとともに、ブラシ台組立４３の上側において区画リブ４２に接触しない長さ寸法にそれぞれ形成されている。
【００２７】
一方、風路室３７の後部には、連通口６３が開口形成されており、この連通口６３には、連通管１７が連通接続されている。ここで、この連通管１７の吸込側である先端側は、連通口６３の外周全体に設けられた凹状の嵌合溝６４に摺動可能に嵌合され、この連通管１７の周方向に沿って回転可能に取り付けられている。
【００２８】
次に、上記一実施の形態による掃除動作を説明する。
【００２９】
まず、本体ケース４の蓋体３を本体用ケース体２に対して回動させて、この本体用ケース体２のカップ保持部７を開放させた後、このカップ保持部７にダストカップ９を嵌合させて取り付ける。
【００３０】
この状態で、蓋体３を回動させてダストカップ９の上側開口を閉塞し、このダストカップ９を蓋体３の本体吸込口１１の基端側に連通させるとともに、このダストカップ９の図示しない排気口を電動送風機６の吸込側に連通させる。
【００３１】
また、本体用ケース体２の本体吸込口１１にホース体１２の基端を連通接続させるとともに、先端に床ブラシ１６が連通接続された延長管１５の基端をホース体１２の先端に連通接続させる。
【００３２】
この後、ホース体１２の手許操作部１３を把持しつつ、この手許操作部１３の所定の設定ボタン１４をオンして本体ケース４内の電動送風機６を駆動させ、作業者が手許操作部１３を把持して床ブラシ１６を前後方向に向けて操作して掃除する。
【００３３】
ここで、床ブラシ１６を後退させた際、すなわち床ブラシ１６の後退時には、図１および図２に示すように、ブラシ台組立４３と床面Ｆとの間の摩擦力により凹部４４および突部４５が床ブラシ１６の前側に位置し、台部材４７の台部５１が下部ケース２２の下面に対して略垂直になるようにブラシ台組立４３が回動する。
【００３４】
この結果、起毛布６１の起毛６２が床面Ｆに対向して接触し、この床面Ｆ上の塵埃を拭き取るとともに、床ブラシ１６の前側から吸込口２５に連通する通岐路が閉塞されて吸込口２５の前側が密封され、この吸込口２５の真空度が向上する。同時に、回転ブラシ３２が回転して、床面Ｆに入り込んだ塵埃、および床面Ｆに付着した塵埃などを掻き出して集塵、すなわち掻き取り、この回転ブラシ３２で掻き出した塵埃を吸込口２５から吸い込む。
【００３５】
一方、床ブラシ１６を前進させた際、すなわち床ブラシ１６の前進時には、図３および図４に示すように、起毛布６１と床面Ｆとの間の摩擦力によりブラシ台組立４３が前側へと回動して、凹部４４が床面Ｆに対向して台部材４７の台部５１が床面Ｆに対して略水平に対向し、突部４５の補助起毛布５５の補助起毛５６が床面Ｆに接触するとともに、床ブラシ１６の後退時に床面Ｆに接触していた起毛布６１の起毛６２が回転ブラシ３２側に位置する。
【００３６】
この結果、起毛布６１の起毛６２が回転ブラシ３２のブラシ部３４の前側に接触し、回転ブラシ３２の回転により起毛布６１の起毛６２に付着した床面Ｆの塵埃を回転ブラシ３２のブラシ部３４にて掻き取るとともに、突部４５の外周面の補助起毛布５５が床面Ｆに接触してこの床面Ｆの塵埃を拭き取る。
【００３７】
このとき、凹部４４によりブラシ台組立４３と床面Ｆとの間に空間が形成されて吸込口２５が床ブラシ１６の外部である床ブラシ１６の前方の空間と連通し、床ブラシ１６の前側から吸込口２５に連通する通岐路および塵埃が通過するスペースがブラシ台組立４３の下側に確保されて、床ブラシ１６の前側の床面Ｆ上の塵埃を吸込口２５から吸い込む。
【００３８】
この後、床ブラシ１６の先端から塵埃とともに吸い込まれた空気は吸込風となり、延長管１５やホース体１２それぞれの内部を順次通過して蓋体３の本体吸込口１１へと吸気された後、ダストカップ９内へと吸い込まれる。
【００３９】
そして、吸い込まれた吸込風は、ダストカップ９内で塵埃を遠心分離されて集塵され、ダストカップ９から流出して電動送風機６を通過し排気風となって図示しない排気口から本体ケース４の外部へと排気される。
【００４０】
上述したように、上記一実施の形態によれば、ブラシ台組立４３の起毛布６１の起毛６２で拭き取った床面Ｆの塵埃を回転ブラシ３２のブラシ部３４により掻き取らせて吸込口２５から吸い込ませて自己掃除、すなわちセルフクリーニングが可能になるため、起毛布６１で拭き取った塵埃を作業者が手で定期的に除去するなどの必要がなく、使い勝手を向上でき、床ブラシ１６を容易にメンテナンスできる。
【００４１】
また、ブラシ台組立４３に凹部４４を形成したことにより、床ブラシ１６の前進時には、この凹部４４により吸込口２５と床ブラシ１６の前方の空間とが連通して床ブラシ１６の前側の通気路および塵埃の通過スペースを確保できるため、床ブラシ１６の前側の床面Ｆ上の塵埃を、この凹部４４を介して吸込口２５から吸い込んで掃除できる。
【００４２】
さらに、床ブラシ１６の後退時には、ブラシ台組立４３が回動して凹部４４が床ブラシ１６の前側に位置し、起毛布６１が床面Ｆに対向して接触するため、床ブラシ１６の前側の通岐路をブラシ台組立４３で閉塞して吸込口２５の真空度を向上し、回転ブラシ３２のブラシ部３４で掻き取った起毛６２で拭き取った床面Ｆの塵埃を、より確実に吸込口２５から吸い込ませることができる。
【００４３】
そして、起毛布６１の起毛６２の毛先を、ブラシ台組立４３の下側で床ブラシ１６の前方に向くように取り付けたため、床ブラシ１６の後退時には、起毛６２が床ブラシ１６の床面Ｆに対する移動方向に対して順目となるので、起毛６２と床面Ｆとの間に摩擦力が生じにくく、床ブラシ１６の操作性を向上できるとともに、床ブラシ１６の前進時には、起毛６２が床ブラシ１６の床面Ｆに対する移動方向に対して逆目となるので、起毛６２と床面Ｆとの間に生じた摩擦力によりブラシ台組立４３を床ブラシ１６の後方向に確実に回動させることができる。
【００４４】
また、ブラシ台組立４３の突部４５の外周面に補助起毛布５５を取り付けたことにより、床ブラシ１６の後退時にも床面Ｆ上の塵埃を補助起毛布５５の補助起毛５６で拭き取りでき、効率よく掃除できる。
【００４５】
なお、上記一実施の形態において、電気掃除機１は、サイクロン式に限定されず、例えばポット型、アップライト型、あるいは集塵パックを用いたキャニスタ型などでもよい。
【００４６】
また、ブラシ台組立４３の外周面には清掃部材として起毛布６１を取り付けたが、この起毛布６１と同様の機能を有するものであれば、ゴムなどの他の清掃部材を用いることも可能である。
【００４７】
【発明の効果】
本発明によれば、拭き取り体にて拭き取った塵埃を回転清掃体により掻き取らせて吸込口から吸い込ませることが可能になるため、拭き取り体にて拭き取った塵埃を除去するなどの必要がなく、使い勝手を向上できる。
【図面の簡単な説明】
【図１】本発明の電気掃除機の一実施の形態の吸込口体を示す断面図である。
【図２】同上電気掃除機の吸込口体を示す斜視図である。
【図３】同上電気掃除機の吸込口体を示す断面図である。
【図４】同上電気掃除機の吸込口体を示す斜視図である。
【図５】同上電気掃除機を示す斜視図である。
【符号の説明】
１    電気掃除機
５    掃除機本体
６    電動送風機
１６    吸込口体としての床ブラシ
２１    ケース体
２５    吸込口
３２    回転清掃体としての回転ブラシ
４３    拭き取り体としてのブラシ台組立
４４    凹部
６１    拭き取り部としての起毛布
Ｆ    被掃除面としての床面
【図１】
2004147691.tif 000003
【図２】
2004147691.tif 000004
【図３】
2004147691.tif 000005
【図４】
2004147691.tif 000006
【図５】
2004147691.tif 000007